(57)【特許請求の範囲】
【請求項１】
底部に集塵用の吸込口が形成された吸込口本体と、
前記吸込口本体の後部に設けられ、前記吸込口本体に対して左右方向に回動可能な回転管と、
前記回転管の後部に設けられ、前記吸込口本体に対して前後方向に回動可能であるとともに起立位置に保持可能な接続管と、
前記吸込口体後部の前記接続管を挟む左右両側に設けられ、前記接続管を前方向に回動させて保持した起立位置から左方向又は右方向に回動させてほぼ水平状態に倒したときに、この水平状態を保持するための保持部と、
を備えたことを特徴とする吸込口体。
【請求項２】
底部に集塵用の吸込口が形成された吸込口本体と、
前記吸込口本体の後部に設けられ、前記吸込口本体に対して左右方向に回動可能な回転管の後部に設けられる保持部材と、
前記保持部材に対して前後方向に回動可能な接続管とを有する吸込口体において、
前記保持部材に形成された係止突部に前記接続管に形成された係止凹部を係合させることにより前記接続管を起立位置に保持させ、さらに前記回転管を左方向又は右方向に回動させて前記接続管をほぼ水平状態に倒したときに前記接続管が当接する部分を、前記吸込口体後部の前記接続管を挟む左右両側に設けたことを特徴とする吸込口体。
【請求項３】
底部に集塵用の吸込口が形成された吸込口本体と、
前記吸込口本体に対して左右方向に回動可能な回転管の後部に設けられる保持部材と、
前記保持部材に対して前後方向に回動可能な接続管とを有する吸込口体において、
前記保持部材に形成された係止凹部に前記接続管に形成された係止突部を係合させることにより前記接続管を起立位置に保持させ、さらに前記回転管を左方向又は右方向に回動させて前記接続管をほぼ水平状態に倒したときに前記接続管が当接する部分を、前記吸込口体後部の前記接続管を挟む左右両側に設けたことを特徴とする吸込口体。
【請求項４】
請求項１ないし３のいずれかに記載の吸込口体を備えたことを特徴とする電気掃除機。
【発明の詳細な説明】
【０００１】
【発明の属する技術分野】
この発明は、吸込口本体に対して前後左右方向に回動可能に接続管を設けた吸込口体と、この吸込口体を備えた電気掃除機に関する。
【０００２】
【従来の技術】
従来の電気掃除機として、特開昭５５−１９４１３号公報に開示されているものが知られている。かかる電気掃除機を図１０および図１１を用いて説明する。
【０００３】
電気掃除機本体１の集塵室となるダストケース２には、ホース３と手元操作管４と延長管５とが順次接続されており、該延長管５の先端には、接続管６と吸込口本体７とからなる吸込口体８が着脱可能に取り付けられている。吸込口本体７の底面には吸込口１２が形成されている。
【０００４】
吸込口本体７の後部には、回転管１５が前後方向に延びる軸線（図示せず）回りに回動可能に設けられており、この回転管１５と吸込口１２とは連通している。この回転管１５の後部には半筒状の連結部１８が形成され、この連結部１８内にほぼ筒状の連結部１９が回動可能に嵌合されるとともにビス２０によって抜け止めされている。連結部１９の後部には接続管６が一体形成され、この接続管６は、連結部１９の側部に形成した開口１９Ａを介して回転管１５に連通し、さらに、吸込口本体７の吸込口１２に連通している。また、接続管６は連結部１８，１９によりビス２０を中心にして前後方向に回動可能となっている。
【０００５】
この吸込口体１によって例えば幅が狭く高さも十分にとれない隙間を掃除するような場合、接続管６を起立させるとともに、図１２に示すように、回転管１５を回転させて接続管６を倒した状態にする。このようにすることにより、吸込口本１を高さが十分にとれない狭い隙間に入れてその狭い隙間を掃除することができる。
【０００６】
【発明が解決しようとする課題】
しかしながら、このような従来の吸込口体にあっては、以下のような問題があった。
【０００７】
即ち、接続管６は回転管１５を介して左右方向へ３６０度回動可能となっている。このため、図１２に示すように、接続管６を倒した状態で狭い場所を掃除するような場合、接続管６を倒し過ぎると手元操作管４や延長管５等が床面に接触してしまい、この手元操作管４や延長管５等によって床面を傷つけてしまうという問題があった。
【０００８】
そこで、本発明の目的は、上記の問題点を解消し、接続管を倒した状態で狭い場所を掃除するような場合に、手元操作管や延長管等によって床面を傷つけてしまうことのない吸込口体とこの吸込口体を備えた電気掃除機を提供することにある。
【０００９】
【課題を解決する手段】
上記課題を解決するために、請求項１に記載された発明では、底部に集塵用の吸込口が形成された吸込口本体と、前記吸込口本体の後部に設けられ、前記吸込口本体に対して左右方向に回動可能な回転管と、前記回転管の後部に設けられ、前記吸込口本体に対して前後方向に回動可能であるとともに起立位置に保持可能な接続管と、前記吸込口体後部の前記接続管を挟む左右両側に設けられ、前記接続管を前方向に回動させて保持した起立位置から左方向又は右方向に回動させてほぼ水平状態に倒したときに、この水平状態を保持するための保持部と、を備えたことを特徴とする。
【００１０】
請求項２の発明は、底部に集塵用の吸込口が形成された吸込口本体と、前記吸込口本体の後部に設けられ、前記吸込口本体に対して左右方向に回動可能な回転管の後部に設けられる保持部材と、前記保持部材に対して前後方向に回動可能な接続管とを有する吸込口体において、前記保持部材に形成された係止突部に前記接続管に形成された係止凹部を係合させることにより前記接続管を起立位置に保持させ、さらに前記回転管を左方向又は右方向に回動させて前記接続管をほぼ水平状態に倒したときに前記接続管が当接する部分を、前記吸込口体後部の前記接続管を挟む左右両側に設けたことを特徴とする。
請求項３の発明は、底部に集塵用の吸込口が形成された吸込口本体と、前記吸込口本体に対して左右方向に回動可能な回転管の後部に設けられる保持部材と、前記保持部材に対して前後方向に回動可能な接続管とを有する吸込口体において、前記保持部材に形成された係止凹部に前記接続管に形成された係止突部を係合させることにより前記接続管を起立位置に保持させ、さらに前記回転管を左方向又は右方向に回動させて前記接続管をほぼ水平状態に倒したときに前記接続管が当接する部分を、前記吸込口体後部の前記接続管を挟む左右両側に設けたことを特徴とする。
請求項４の発明は、請求項１ないし３のいずれかに記載の吸込口体を備えたことを特徴とする。
【００１１】
【発明の実施の形態１】
以下、本発明の具体的な実施の形態について、図示例と共に説明する。
【００１２】
図１〜図４は、この発明の実施の形態を示すものである。
【００１３】
まず、構成を説明すると、掃除機本体２１には、内部に集塵室２２と、該集塵室２２を負圧にする電動送風機２３が設けられ、集塵室２２には集塵フィルタ２４が設けられている。２５は一端が電気掃除機本体２１に着脱可能に接続されている可撓性のホースで、このホース２５の他端には手元操作管２６が設けられている。該手元操作管２６には把手部２７と操作部２８とが設けられており、操作部２８には電動送風機２３の電源を切るオフスイッチＳ１や電動送風機２３のパワーを設定する設定スイッチＳ２，Ｓ３等が設けられている。
【００１４】
上記手元操作管２６には、延長管２９が着脱可能に接続され、延長管２９の先端部には吸込口体３０の接続管３１が着脱可能に接続される。
【００１５】
吸込口体３０は、吸込口本体３２と、この吸込口本体３２の前後方向３７の後側の部分に設けられた前記接続管３１とを備えている。吸込口本体３２は、図５に示すように、横断面がドーム状の上ケース３３と、この上ケース３３の下に取り付けられた下ケース３４とを有している。この上ケース３３および下ケース３４とによって、下ケース３４の底部に形成した集塵用の吸込口３５を有する吸込室３６が形成されている。４４は前輪である。
【００１６】
そして、吸込口本体３２の後部には吸込室３６に連通するとともに前後方向に延びた円筒状の吸込管部３７が形成され、この吸込管部３７の外周に回転管３９が回転自在に嵌合されている。
【００１７】
下ケース３４の後部中央の左右の部分には後方に突出する後輪支持用の突部４０，４０が形成され、この突部４０，４０の後端部には後輪４３，４３が取り付けられている。また、上ケース３３の後部には吸込管部３７の両側に位置するカバー部（保持部）４２，４２が形成され、このカバー部４２，４２は下ケース３５の後輪支持用の突部４０，４０をカバーしている。カバー部４２，４２の上面４２Ａ，４２Ａは後方に行くにしたがって高さが少し低くなる傾斜面となっている。
【００１８】
回転管３９の後部には、図６および図７に示したように、回転管３２の端面の略半分の部分から後方に突出する支持突部４５が形成されている。この支持突部４５の下面４５Ａはカバー部４２，４２の上面４２Ａ，４２Ａより低い位置となるように設定されている。
【００１９】
支持突部４５の左右には支持壁４６，４６が形成され、支持壁４６，４６には半円状の軸受凹部４７，４７がそれぞれ形成されている。また、支持壁４６，４６間には壁部４８が連接され、壁部４８には断面円弧状の内面４８ａが形成されている。この内面４８ａの中心線（図示せず）は吸込管部３７と直交する方向（図６では左右）に延びている。図中、４９は支持壁４６，４６間の切欠である
更に、支持突部４５には保持カバー（保持部材）５０が図８に示した様にタッピングネジ５１，５１で固定されている。この保持カバー５０は、回転管３９及び吸込管部３７の後端の半分を覆っている。しかも、保持カバー５０には、後方に開放する切欠５１と、支持壁４６，４６に当接する支持壁５２，５２が形成されている。また、保持カバー５０には、支持壁５２，５２間に位置して円弧状の内面５０ａが形成されている。この内面５０ａは壁部４８の内面４８ａに沿って延びている。
【００２０】
この各支持壁５２，５２には、半軸受凹部４７，４７と一致する半円状の軸受凹部５３，５３が形成されていると共に、軸受凹部５３，５３の中央に開放する浅い係止凹部５４，５４が形成されている。また、保持カバー５０には支持壁５２，５２間に位置し且つ係止凹部５４，５４に対応する係止突部５５，５５が形成されている。
【００２１】
接続管３１の一端部には屈曲部３１ａが形成され、屈曲部３１ａの端部には略半円筒状のシール筒部５６が一体に形成されている。このシール筒部５６は、左右方向に延びている。また、シール筒部５６の軸線方向端部には端壁５７，５７が形成され、端壁５７，５７にはシール筒部５６と同軸の回転支持軸５８，５８が突設されている。
【００２２】
この支持軸５８は軸受凹部４７，５３間に回転自在に保持され、シール筒部５６は円弧状の内面４８ａ，５０ａ間に配設され、シール筒部５６には円弧状の内面４８ａに摺接するシール突部６０が形成されている。接続管３１は、回転支持軸５８，５８を中心にして前後方向に回動可能となっている。この回転支持軸５８，５８は後輪４３の軸４３Ｊより前方（図５において右側）となる位置に設けられている。
【００２３】
また、シール筒部５６の外周面には係止凹部６１が形成され、支持軸５８の外周面には係止突部６２が形成されている。そして、接続管３１を図５の鎖線のように起立させたときには、係止凹部６１に係止突部５５が係合すると共に、係止突部６２が係止凹部５４に係合して、接続管３１を起立位置に保持する。
【００２４】
起立した接続管３１は、図５の鎖線位置から回転管３９の回動により左右方向に倒して、図４に示すように、ほぼ水平状態にするとカバー部４２，４２の上面４２Ａ，４２Ａに当接して、水平状態に保持されるようになっている。そして、シール筒部５６と支持突部４５と保持カバー５０とで接続管３１を前後方向に回動可能にする関節部１００が構成され、接続管３１と回転管３９はシール筒部５６と支持突部４５と保持カバー５０とで形成される接続風路１０１を介して連通している。
【００２５】
次に、上記実施形態の電気掃除機の作用について説明する。
【００２６】
先ず、図１に示すように、吸込口体３０を延長管２９，ホース２５などを介して掃除機本体２１に接続する。そして、スイッチＳ１やスイッチＳ２を操作すると、電動送風機２３が設定されたパワーで動作して集塵室２２内が負圧になる。この負圧により、吸込口体３０の吸込口３５から空気が吸気されて塵埃が吸引されていき、掃除が行われる。
【００２７】
高さが十分にとれない狭い場所を掃除する場合には、図５の鎖線に示すように、接続管３１を起立させた後、この接続管３１を回転管３９を回転させることにより図４に示すようにほぼ水平状態に倒す。水平状態に倒された接続管３１はカバー部４２，４２の上面４２Ａ，４２Ａに当接するので、手元操作管２６の把手部２７を操作して吸込口体３０を前後方向（図１２の矢印方向）に移動させても、接続管３１は水平状態より下方へ傾くことがなく、このため、手元操作管２６や延長管２９を床面に接触してしまうことがなく、床面を手元操作管２６や延長管２９などによって傷つけてしまうことを未然に防止することができる。
【００２８】
また、接続管３１を起立させると、この起立とともにシール筒部５６が回転支持軸５８を中心にして支持突部４５の内面４８ａおよび保持カバー５０の内面５０ａに摺接しながら回動していき、図９に示すように、シール筒部５６の係止凹部６１に保持カバー５０の係止突部５５が係合すると共に、支持軸５８の係止突部６２が保持カバー５０の係止凹部５４に係合する。これら係合により、接続管３１は起立状態に固定され、この固定状態で接続管３１を水平状態に倒すので、この接続管３１は吸込口体３０と水平状態に固定されることになる。
【００２９】
このため、吸込口体３０を前後方向（図１２の矢印方向）に移動させたとき、接続管３１に対する吸込口体３０の向きが変わってしまうことが防止され、掃除は大変行い易いものとなる。また、接続管３１の回転支持軸５８，５８は後輪４３の軸４３Ｊより前方（図５において右側）となる位置に設けられていることにより、接続管３１がカバー部４２，４２の上面４２Ａ，４２Ａに当接してそのカバー部４２，４２を下方に押圧しても、吸込口体３０の先端側（前輪４４側）が浮いてしまうことが防止され、吸込口体３０を安定して状態で前後方向（図１２の矢印方向）に移動させることができる。通常の使用状態において、回転支持軸５８，５８に下方への押圧力が作用しても、同様に、吸込口体３０の先端側が浮いてしまうことが防止される。
【００３０】
さらに、関節部１００は吸込口本体３２の後部に設けたカバー部４２，４２の間に入り込むように設けられているので、接続管３１を水平状態に倒したとき、図４に示すように吸込口体３０の高さＨ１や幅Ｗ（図２参照）を小さくすることができ、高さや幅の小さい隙間でも吸込口体３０を入れることが可能となる。
【００３１】
また、支持突起部４５の下面４５Ａはカバー部４２，４２の上面４２Ａ，４２Ａより低い位置となるように設定されているので、通常の使用状態でも吸込口体３０の高さＨ２（図５参照）を低くすることができる。また、後輪４３を設けた後輪支持用の突部４０，４０のカバー部４２，４２で接続管３１を水平状態に支持するようにしたものであるから、接続管３１を水平状態に支持するための専用の部材を設ける必要がない。このため、吸込口体３０の構造は簡単なものとなる。
【００３２】
【発明の効果】
以上説明してきたように、請求項１ないし３の発明によれば、接続管を挟む左右両側となる吸込口本体の後部に、前記接続管を前方向に回動させて保持した起立位置から左方向又は右方向に回動させてほぼ水平状態に倒したときに、この水平状態を保持するための保持部を設けたものであるから、接続管が水平状態より下方へ傾いてしまうことを防止することができ、このため、手元操作管や延長管を床面に接触してしまうことが防止され、床面を手元操作管や延長管などによって傷つけてしまうことを未然に防止することができる。
【００３３】
請求項４の発明によれば、上記効果を得ることのできる電気掃除機を提供することができる。
【図面の簡単な説明】
【図１】本発明に係る電気掃除機の実施の形態を示した斜視図である。
【図２】図１の吸込口体を示した平面図である。
【図３】図２の吸込口体の背面図である。
【図４】接続管を水平状態に倒した状態を示した説明図である。
【図５】吸込口体の構成を示した断面図である。
【図６】接続管を前後左右に回動させる関節部の構造を示した分解斜視図である。
【図７】関節部を示した斜視図である。
【図８】図７のＣ−Ｃ線に沿った断面図である。
【図９】接続管の固定状態を示した説明図である。
【図１０】従来の電気掃除機を示した説明図である。
【図１１】従来の吸込口体を示した斜視図である。
【図１２】吸込口体の使用状態を示した説明図である。
【符号の説明】
３０  吸込口体
３１  接続管
３２  吸込口本体
３５  吸込口
４２  カバー部（保持部）
【図１】
0003597367.tif 000002
【図２】
0003597367.tif 000003
【図３】
0003597367.tif 000004
【図４】
0003597367.tif 000005
【図５】
0003597367.tif 000006
【図６】
0003597367.tif 000007
【図７】
0003597367.tif 000008
【図８】
0003597367.tif 000009
【図９】
0003597367.tif 000010
【図１０】
0003597367.tif 000011
【図１１】
0003597367.tif 000012
【図１２】
0003597367.tif 000013